(57)【特許請求の範囲】
【請求項１】
正面板と、
前記正面板と対向する位置に配置された背面板と、
前記正面板と前記背面板との間に配置されるとともに前記正面板と前記背面板と一体に形成された係止板とを備え、
前記係止板は、
上方に配設された上部係止板と、
下方に配設された下部係止板とを含み、
前記正面板は、幅方向中央の上端から下端にかけて設けられるとともに、幅方向中央部全体が開口するように設けられる切欠部を有しており、
前記正面板と前記係止板との間に、フック用のプライスカードケースを係止する第１係止空間が形成され、
前記背面板と前記係止板との間に、プライスカード用レールを係止する第２係止空間が形成されていることを特徴とする連結部材。
【請求項２】
正面板と、
前記正面板と対向する位置に配置された背面板と、
前記正面板と前記背面板との間に配置されるとともに前記正面板と前記背面板と一体に形成された係止板とを備えた連結部材において、
前記連結部材の上面に接続されて下方に伸びており、上部が背面側に突出し、下部が正面側に突出する屈曲した形状の上部係止板と、
前記背面板の上部に接続されて下方に伸びており、中央が正面側に突出する屈曲した形状の下部係止板と
を有する連結部材。
【請求項３】
前記上部係止板は、複数配設されていることを特徴とする請求項１または２に記載の連結部材。
【請求項４】
前記上部係止板は、前記切欠部を挟む左右の空間に少なくとも１つずつ配設されていることを特徴とする請求項３に記載の連結部材。
【発明の詳細な説明】
【技術分野】
【０００１】
本発明は、フック用のプライスカードケースとプライスカード用レールとを接続する連結部材に関する。
【背景技術】
【０００２】
従来、陳列什器用のプライスカード表示用部材として、例えば特許文献１に示すようなフック用のプライスカードケースや特許文献２に示すようなプライスカード用レールが知られている。
【０００３】
特許文献１に示すプライスカードケースは、吊り下げ式陳列具に使用するのに好適であり、表示用フックに取り付けた所定の大きさのカードケースに、陳列具に関する内容を記載したカードを挿入して使用する。
【０００４】
一方、特許文献２に示すプライスカード用レールは、複数枚のカードを挿入したり、記載内容の多いカードを挿入して使用するのに適しており、溝付きの陳列棚や欄干等の立ち上がり部を有する陳列棚に取り付けて使用する。
【０００５】
このように、フック用のプライスカードケースとプライスカード用レールとは、それぞれの使用目的に応じて使い分けがなされ、取り付けの構造も異なるものとなっている。
【先行技術文献】
【特許文献】
【０００６】
【特許文献１】特開平１１−２０６５２４号公報
【特許文献２】特開平２００５−１１８４０５号公報
【発明の概要】
【発明が解決しようとする課題】
【０００７】
ところで、実際の店舗現場では、商品の入れ替え等に伴い、吊り下げ式陳列具の表示内容を増やしたり、複数の陳列具を連続表示することなどのため、プライスカードケースではなくプライスカード用レールを表示用部材として用いることが必要となる場合がある。そのため、取り付け構造の異なる吊り下げ式陳列具用什器を新たに導入したり、取り付け構造の異なる吊り下げ式陳列具用什器と入れ替えたりしなければならず、コストや手間がかかるという問題があった。
【０００８】
本発明は、上記課題を解決するためになされたものであり、プライスカードケースではなくプライスカード用レールを表示用部材として用いることが必要となる場合であっても、吊り下げ式陳列具用什器を新たに導入したり、入れ替えたりすることなく、プライスカード用レールを表示用部材として用いることができるようにするための連結部材を提供することを目的とする。
【課題を解決するための手段】
【０００９】
前記目的を達成するため、本発明の連結部材は、正面板と、前記正面板と対向する位置に配置された背面板と、前記正面板と前記背面板との間に配置されるとともに前記正面板と前記背面板と一体に形成された係止板とを備え、前記係止板は、上方に配設された上部係止板と、下方に配設された下部係止板とを含み、前記正面板は、幅方向中央の上端から下端にかけて設けられるとともに、幅方向中央部全体が開口するように設けられる切欠部を有しており、前記正面板と前記係止板との間に、フック用のプライスカードケースを係止する第１係止空間が形成され、前記背面板と前記係止板との間に、プライスカード用レールを係止する第２係止空間が形成されていることを特徴とする。
【発明の効果】
【００１０】
本発明の連結部材によれば、正面板が幅方向中央に切欠部を有しており、かかる正面板と係止板との間に第１係止空間が形成されているので、プライスカードケースの保持部が連結部材と干渉することなく、プライスカードケースが第１係止空間にスムーズに係止される。
【００１１】
そして、正面板と対向する位置に配置された背面板と係止板との間に第２係止空間が形成されており、これにプライスカード用レールを係止することにより、吊り下げ式陳列具用什器を新たに導入したり、入れ替えたりすることなく、プライスカード用レールを表示用部材として用いることができる。
【図面の簡単な説明】
【００１２】
【図１】本発明の一実施形態にかかる連結部材の正面側から見た斜視図である。
【図２】本発明の一実施形態にかかる連結部材の背面側から見た斜視図である。
【図３】本発明の一実施形態にかかる連結部材の正面図である。
【図４】本発明の一実施形態にかかる連結部材の背面図である。
【図５】本発明の一実施形態にかかる連結部材の平面図である。
【図６】本発明の一実施形態にかかる連結部材の側面図である。
【図７】本発明の一実施形態にかかる連結部材にプライスカードケースとプライスカード用レールを接続する様子を示す図である。
【図８】本発明の一実施形態にかかる連結部材にプライスカードケースとプライスカード用レールを係止した状態を示す図である。
【発明を実施するための形態】
【００１３】
以下、本発明の実施形態について、図面を参照して説明する。
【００１４】
図１〜６において、本発明の一実施形態にかかる連結部材１は、正面板２と背面板３と係止板４を備えている。そして、正面板２、背面板３と係止板４との間に、部材を嵌合させるための係止空間６が形成される。正面板２は、幅方向中央の上端から下端にかけて貫通する切欠部２１を有しており、正面板２の幅方向中央部全体が開口した状態とされている。
【００１５】
背面板３は、正面板２と対向する位置に配置されており、幅方向中央の上部から下端にかけて連続する切欠部３１を有し、背面板３の幅方向中央下部が開口した状態とされている。
【００１６】
係止板４は、正面板２と背面板３との間に配置されており、連結部材１の上方に配設された上部係止板４１と連結部材１の下方に配設された下部係止板４２を含んでいる。
【００１７】
上部係止板４１は、連結部材１の上面５に接続されて下方に延びており、上部が背面側に突出し、下部が正面側に突出する屈曲した形状をしている。本実施例においては、上部係止板４１は、正面板２と背面板３との間のうち、切欠部３１を挟む左右の空間に１つずつ対称的に配設されている。
【００１８】
下部係止板４２は、背面板３の幅方向中央の上部に接続されて下方に延びており、中央が正面側に突出する屈曲した形状をしている。
【００１９】
連結部材１がこのような構成を有することにより、正面板２と上部係止板４１および下部係止板４２との間に第１の係止空間６１が形成され、背面板３と下部係止板４２との間に第２の係止空間６２が形成される。
【００２０】
そして、図７、８に示すように、第１の係止空間６１にフック用のプライスカードケース７が挿入されて、係止され、第２の係止空間６２にプライスカード用レール８が挿入されて、係止される。
【００２１】
ここで、正面板２が幅方向中央に切欠部２１を有していることにより、プライスカードケース７の保持部７１が連結部材１と干渉することなく、プライスカードケース７が第１の係止空間６１にスムーズに係止される。
【００２２】
また、プライスカードケース７は、上部係止板４１と下部係止板４２の正面側の突出部に集中する弾性力によって強く正面板２に押し付けられるので、プライスカードケース７が連結部材１に強固に保持される。
【００２３】
さらにまた、上部係止板４１は、正面板２と背面板３との間のうち、切欠部３１を挟む左右の空間に１つずつ対称的に配設されているので、プライスカードケース７に弾性力がバランスよく作用し、プライスカードケース７が連結部材１に安定して保持される。
【００２４】
以上説明したように、本発明の連結部材１によれば、プライスカードケース７をスムーズに係止し、強固に、安定して保持することができる。
【００２５】
そして、このようにプライスカードケース７を保持した連結部材１の第２の係止空間６２にプライスカード用レール８を挿入して、係止することにより、吊り下げ式陳列具用什器を新たに導入したり、入れ替えたりすることなく、プライスカード用レールを安定した表示用部材として用いることができる。
【符号の説明】
【００２６】
１  連結部材
２  正面板
２１  切欠部
３  背面板
３１  切欠部
４  係止板
４１  上部係止板
４２  下部係止板
５  上面
６  係止空間
６１  第１の係止空間
６２  第２の係止空間
７  プライスカードケース
７１  保持部
８  プライスカード用レール
【図１】
0006566610.tif 000002
【図２】
0006566610.tif 000003
【図３】
0006566610.tif 000004
【図４】
0006566610.tif 000005
【図５】
0006566610.tif 000006
【図６】
0006566610.tif 000007
【図７】
0006566610.tif 000008
【図８】
0006566610.tif 000009